(57)【要約】【課題】アパーチャグリル方式のディスプレイ装置において、互いに輝度の異なる２つの領域を含む画面を、縦縞を生じることなく表示する。【解決手段】複数のワイヤがすだれ状に設けられてなるアパーチャグリルを有するアパーチャグリル方式のディスプレイ装置において、デスクトップＤＳ１、ＤＳ２よりも輝度の高いウィンドウＷＤ１、ＷＤ２が含まれる画面ＳＮ１、ＳＮ２を表示する場合に、ディスプレイ装置の電子銃から放出される電子ビームによってウィンドウＷＤ１、ＷＤ２を表示するのに用いられるワイヤに与えられるエネルギーが、この電子ビームによって複数のワイヤ全体に与えられるエネルギーに対して所定の度合いを超えるのであれば、ウィンドウＷＤ１、ＷＤ２の輝度を下げる。【選択図】　　　図５
2004021035.tif 000002
【特許請求の範囲】
【請求項１】
複数のワイヤがすだれ状に設けられてなるアパーチャグリルを有するアパーチャグリル方式のディスプレイ装置における輝度の制御方法であって、
他の領域よりも輝度の高い領域が含まれる画面を表示する場合に、当該ディスプレイ装置の電子銃から放出される電子ビームによって当該輝度の高い領域の画像を表示するのに用いられるワイヤに与えられるエネルギーが、当該電子ビームによって前記複数のワイヤ全体に与えられるエネルギーに対して所定の度合いを超えるのであれば、前記輝度の高い領域の輝度を下げる、
ことを特徴とするアパーチャグリル方式のディスプレイ装置における輝度の制御方法。
【請求項２】
複数のワイヤがすだれ状に設けられてなるアパーチャグリルを有するアパーチャグリル方式のディスプレイ装置であって、
他の領域よりも輝度の高い領域が含まれる画面を表示する場合に、当該ディスプレイ装置の電子銃から放出される電子ビームによって当該輝度の高い領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、
所定の度合いを超えると判別された場合は、前記輝度の高い領域の輝度を下げるように制御する輝度制御手段と、
を有してなることを特徴とするアパーチャグリル方式のディスプレイ装置。
【請求項３】
複数のワイヤがすだれ状に設けられてなるアパーチャグリルを有するアパーチャグリル方式のディスプレイ装置であって、
当該ディスプレイ装置の表示領域のうちの指定された指定領域の輝度および他の領域の輝度をそれぞれ第一の輝度および前記第一の輝度よりも低い第二の輝度にした場合に、当該ディスプレイ装置の電子銃から放出される電子ビームによって当該指定領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、
所定の度合いを超えないと判別された場合は前記指定領域の輝度および前記他の領域の輝度をそれぞれ前記第一の輝度および前記第二の輝度になるように制御し、所定の度合いを超えると判別された場合は前記指定領域の輝度と前記他の領域の輝度との差の絶対値が前記第一の輝度と前記第二の輝度との差の絶対値よりも小さくなるように前記指定領域の輝度または前記他の領域の輝度を制御する輝度制御手段と、
を有してなることを特徴とするアパーチャグリル方式のディスプレイ装置。
【請求項４】
前記輝度制御手段は、前記判別手段によって所定の度合いを超えると判別された場合は、前記指定領域の輝度を前記第二の輝度以上かつ前記第一の輝度未満になるように制御し、前記他の領域の輝度を前記第二の輝度になるように制御する、
請求項３記載のアパーチャグリル方式のディスプレイ装置。
【請求項５】
前記判別手段は、前記表示領域の縦方向の全ドット数に対する当該指定領域の縦方向のドット数の比率および前記表示領域の横方向の全ドット数に対する当該指定領域の横方向のドット数の比率に基づいて前記判別を行う、
請求項３または請求項４記載のアパーチャグリル方式のディスプレイ装置。
【請求項６】
画面を表示するための画面情報を出力する画面情報出力装置と通信を行う通信手段を有し、
前記指定領域は、前記画面情報出力装置によって指定されるものであって、
前記判別手段は、前記画面情報出力装置によって前記指定領域が指定されるごとに前記判別を行う、
請求項３ないし請求項５のいずれかに記載のアパーチャグリル方式のディスプレイ装置。
【請求項７】
複数のワイヤがすだれ状に設けられてなるアパーチャグリルを有するアパーチャグリル方式のディスプレイ装置に対して画面を表示するための画面情報を出力する画面情報出力装置であって、
前記ディスプレイ装置の表示領域のうち高輝度で表示する領域を前記ディスプレイ装置に対して指定する指定手段と、
前記指定手段によって指定された領域の輝度および他の領域の輝度をそれぞれ第一の輝度および前記第一の輝度よりも低い第二の輝度にして前記画面を前記ディスプレイ装置に表示した場合に、当該ディスプレイ装置の電子銃から放出される電子ビームによって当該指定された領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、
所定の度合いを超えないと判別された場合は前記指定された領域の輝度および前記他の領域の輝度をそれぞれ前記第一の輝度および前記第二の輝度にして前記画面を表示するように前記ディスプレイ装置に対して指令し、所定の度合いを超えると判別された場合は前記指定された領域の輝度と前記他の領域の輝度との差の絶対値が前記第一の輝度と前記第二の輝度との差の絶対値よりも小さくなるようにして前記画面を表示するように前記ディスプレイ装置に対して指令する指令手段と、
を有してなることを特徴とする画面情報出力装置。
【請求項８】
複数のワイヤがすだれ状に設けられてなるアパーチャグリルを有するアパーチャグリル方式のディスプレイ装置に対して画面を表示するための画面情報を出力するコンピュータに用いられるコンピュータプログラムであって、
前記ディスプレイ装置の表示領域のうち高輝度で表示する領域を前記ディスプレイ装置に対して指定する処理と、
前記指定手段によって指定された領域の輝度および他の領域の輝度をそれぞれ第一の輝度および前記第一の輝度よりも低い第二の輝度にして前記画面を前記ディスプレイ装置に表示した場合に、当該ディスプレイ装置の電子銃から放出される電子ビームによって当該指定された領域の画像を表示するのに用いられるワイヤに与えられるエネルギーが、当該電子ビームによって前記複数のワイヤ全体に与えられるエネルギーに対して所定の度合いを超えるか否かの判別を行う処理と、
所定の度合いを超えないと判別された場合は前記指定された領域の輝度および前記他の領域の輝度をそれぞれ前記第一の輝度および前記第二の輝度にして前記画面を表示するように前記ディスプレイ装置に対して指令し、所定の度合いを超えると判別された場合は前記指定された領域の輝度と前記他の領域の輝度との差の絶対値が前記第一の輝度と前記第二の輝度との差の絶対値よりも小さくなるようにして前記画面を表示するように前記ディスプレイ装置に対して指令する処理と、
をコンピュータに実行させるためのコンピュータプログラム。
【発明の詳細な説明】
【０００１】
【発明の属する技術分野】
本発明は、アパーチャグリル方式のディスプレイ装置における輝度の制御に関する。
【０００２】
【従来の技術】
図９は従来のＣＲＴディスプレイ装置９におけるカラー画像表示の仕組みを説明する図、図１０はＣＲＴディスプレイ装置９の表示面に表示された画面ＳＮ９の例を示す図である。従来のＣＲＴディスプレイ装置９のＣＲＴ部（ブラウン管）は、電子銃９１、色識別機構９２、および蛍光面９３などによって構成される。蛍光面９３は、ＣＲＴディスプレイ装置９の上下方向（縦方向）に長い蛍光体９３ｒ、９３ｇ、９３ｂがストライプ状に交互に並べられて構成される。
【０００３】
電子銃９１は、３つのカソード９１ｒ、９１ｇ、９１ｂを有し、各カソードより電子ビーム８ｒ、８ｇ、８ｂを放出する。１つのカソードから電子ビーム８ｒ、８ｇ、８ｂを放出するタイプの電子銃９１もある。放出された各電子ビーム８ｒ、８ｇ、８ｂは、それぞれ、蛍光体９３ｒ、９３ｇ、９３ｂに当たる。すると、電子ビームが当たった部分から、それぞれ、赤、緑、青の光が発せられる。各電子ビーム８ｒ、８ｇ、８ｂの強度を調整することによって、さまざまな色を再現することができる。そして、強度を調整しながら各電子ビーム８ｒ、８ｇ、８ｂを蛍光面９３の全体に走査することによって、ＣＲＴディスプレイ装置９の表示面全体にカラー画像を表示することができる。
【０００４】
色識別機構９２は、電子ビーム８が蛍光面９３の所定の位置に正確に当たるように導くために用いられる。色選別機構９２として、シャドウマスクまたはアパーチャグリルが用いられる。シャドウマスクは、図９（ｂ）に示すように、金属板９２ａに規則的に並ぶ多数の開口９２ｈが設けられたものである。すなわち、開口９２ｈを通り抜けた電子ビーム８だけが蛍光面９３に当たる。これにより、電子ビーム８を所定の位置に正確に当てることができる。
【０００５】
しかし、シャドウマスクを用いた場合は、蛍光面９３の中心から離れるほど明るさが落ちてしまう、および電子ビーム８のエネルギーにより生じる熱でシャドウマスクが変形し画像全体がぼやけてしまう、という問題点があった。
【０００６】
一方、アパーチャグリルは、図９（ｃ）に示すように、多数のワイヤ９２ｂを狭い間隔ですだれ状に並べて構成される。各ワイヤ９２ｂは、縦方向（長さ方向）に作用する張力によってまっすぐにぴんと張られている。放出された電子ビーム８のうち、隣り合う２本のワイヤ９２ｂにできた開口９２ｈ’　を通り抜けたものだけが蛍光面９３に当たる。これにより、電子ビーム８を所定の位置に正確に当てることができる。
【０００７】
アパーチャグリルを用いることによって、上記のシャドウマスクの問題点を解決することができる。すなわち、アパーチャグリルは、シャドウマスクの開口９２ｈよりも広い開口９２ｈ’　を有するので、より多くの電子ビーム８が蛍光面９３に当たり、画像を鮮明に表示することができる。
【０００８】
また、電子ビーム８のエネルギーによってワイヤ９２ｂに伸びが生じても、ワイヤ９２ｂは張力によって常に縦方向に引っ張られているので、開口９２ｈ’　の位置は変わらない。よって、シャドウマスクの場合のように画像全体がぼやけることがない。
【０００９】
【発明が解決しようとする課題】
しかし、アパーチャグリルを用いた場合は、画面の中に「縦割れ」と呼ばれる縦縞が現れてしまう場合がある。例えば、図１０（ａ）に示すように、オペレーティングシステム（ＯＳ）のデスクトップＤＳ９上に縦長のウィンドウＷＤ９を開いた状態を示す画面ＳＮ９が、ディスプレイ装置９の表示面に表示されているとする。
【００１０】
画面ＳＮ９全体の輝度に大きな差がなければ、画面ＳＮ９に縦縞は生じない。なぜなら、電子ビームのエネルギーによる各ワイヤ９２ｂの伸びにも大きな差が生じないので、縦方向の張力によりすべてのワイヤ９２ｂがまっすぐに引っ張られ、開口９２ｈ’　の位置が正しい位置に保たれるからである。
【００１１】
ところが、ウィンドウＷＤ９の輝度を他の領域すなわちデスクトップＤＳ９の輝度よりも高くすると、図１０（ｂ）に示すようにウィンドウＷＤ９の部分に縦縞が生じる場合がある。これは、次のような理由による。
【００１２】
すなわち、ウィンドウＷＤ９を表示するための高エネルギーの電子ビームが特定のワイヤ９２ｂ（以下、「ワイヤ９２ｂｗ」と記載する。）のみに集中的に当たることによって、係るワイヤ９２ｂｗは、他のワイヤ（以下、「ワイヤ９２ｂｄ」と記載する。）よりも長く伸びてしまう。両者の伸びの差が大き過ぎると、縦方向の張力がワイヤ９２ｂｄをある程度引っ張ったところで縦方向の張力とワイヤ９２ｂｄの復元力とが釣り合ってしまう。すると、縦方向の張力がワイヤ９２ｂｗに作用せず、ワイヤ９２ｂｗが撓んだままになってしまう。これにより、ワイヤ９２ｂｗが振動しまたは隣のワイヤ９２ｂに絡まるなどして開口９２ｈ’　の位置が変わり、電子ビームが蛍光面９３に上手く当たらなくなり、図１０（ｂ）のような縦縞が生じてしまうのである。
【００１３】
本発明は、このような問題点に鑑み、互いに輝度の異なる２つの領域を含む画面を、縦縞を生じることなく表示するアパーチャグリル方式のディスプレイ装置を提供することを目的とする。
【００１４】
【課題を解決するための手段】
本発明に係る制御方法は、複数のワイヤがすだれ状に設けられてなるアパーチャグリルを有するアパーチャグリル方式のディスプレイ装置における輝度の制御方法であって、他の領域よりも輝度の高い領域が含まれる画面を表示する場合に、当該ディスプレイ装置の電子銃から放出される電子ビームによって当該輝度の高い領域の画像を表示するのに用いられるワイヤに与えられるエネルギーが、当該電子ビームによって前記複数のワイヤ全体に与えられるエネルギーに対して所定の度合いを超えるのであれば、前記輝度の高い領域の輝度を下げる。
【００１５】
本発明に係るディスプレイ装置は、複数のワイヤがすだれ状に設けられてなるアパーチャグリルを有するアパーチャグリル方式のディスプレイ装置であって、他の領域よりも輝度の高い領域が含まれる画面を表示する場合に、当該ディスプレイ装置の電子銃から放出される電子ビームによって当該輝度の高い領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、所定の度合いを超えると判別された場合は、前記輝度の高い領域の輝度を下げるように制御する輝度制御手段とを有してなる。
【００１６】
好ましくは、当該ディスプレイ装置の表示領域のうちの指定された指定領域の輝度および他の領域の輝度をそれぞれ第一の輝度および前記第一の輝度よりも低い第二の輝度にした場合に、当該ディスプレイ装置の電子銃から放出される電子ビームによって当該指定領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、所定の度合いを超えないと判別された場合は前記指定領域の輝度および前記他の領域の輝度をそれぞれ前記第一の輝度および前記第二の輝度になるように制御し、所定の度合いを超えると判別された場合は前記指定領域の輝度と前記他の領域の輝度との差の絶対値が前記第一の輝度と前記第二の輝度との差の絶対値よりも小さくなるように前記指定領域の輝度または前記他の領域の輝度を制御する輝度制御手段とを設ける。
【００１７】
または、前記輝度制御手段は、前記判別手段によって所定の度合いを超えると判別された場合は、前記指定領域の輝度を前記第二の輝度以上かつ前記第一の輝度未満になるように制御し、前記他の領域の輝度を前記第二の輝度になるように制御する。または、前記判別手段は、前記表示領域の縦方向の全ドット数に対する当該指定領域の縦方向のドット数の比率および前記表示領域の横方向の全ドット数に対する当該指定領域の横方向のドット数の比率に基づいて前記判別を行う。または、画面を表示するための画面情報を出力する画面情報出力装置と通信を行う通信手段を有し、前記指定領域は、前記画面情報出力装置によって指定されるものであって、前記判別手段は、前記画面情報出力装置によって前記指定領域が指定されるごとに前記判別を行う。
【００１８】
本発明に係る画面情報出力装置は、複数のワイヤがすだれ状に設けられてなるアパーチャグリルを有するアパーチャグリル方式のディスプレイ装置に対して画面を表示するための画面情報を出力する画面情報出力装置であって、前記ディスプレイ装置の表示領域のうち高輝度で表示する領域を前記ディスプレイ装置に対して指定する指定手段と、前記指定手段によって指定された領域の輝度および他の領域の輝度をそれぞれ第一の輝度および前記第一の輝度よりも低い第二の輝度にして前記画面を前記ディスプレイ装置に表示した場合に、当該ディスプレイ装置の電子銃から放出される電子ビームによって当該指定された領域の画像を表示するのに用いられるワイヤに与えられるエネルギーが、当該電子ビームによって前記複数のワイヤ全体に与えられるエネルギーに対して所定の度合いを超えるか否かの判別を行う判別手段と、所定の度合いを超えないと判別された場合は前記指定された領域の輝度および前記他の領域の輝度をそれぞれ前記第一の輝度および前記第二の輝度にして前記画面を表示するように前記ディスプレイ装置に対して指令し、所定の度合いを超えると判別された場合は前記指定された領域の輝度と前記他の領域の輝度との差の絶対値が前記第一の輝度と前記第二の輝度との差の絶対値よりも小さくなるようにして前記画面を表示するように前記ディスプレイ装置に対して指令する指令手段とを有してなる。
【００１９】
【発明の実施の形態】
図１は本発明に係るディスプレイ装置１およびコンピュータ本体２の外観の例を示す図、図２はディスプレイ装置１およびコンピュータ本体２のハードウェア構成の例を示す図、図３はＣＲＴ部１７の構成の例を示す図、図４はアパーチャグリル１７ｂの構成の例を示す図、図５は表示面ＨＧに表示される画面ＳＮ１、ＳＮ２の例を示す図、図６は指定領域のｘ方向およびｙ方向の長さと縦縞の発生との関係を示す図、図７は指定領域の輝度Ｌ１がそれぞれ異なる場合の縦縞の発生の有無を比較する図、図８はディスプレイ装置１の処理の流れの例を説明するフローチャートである。
【００２０】
本発明に係るアパーチャグリル方式のディスプレイ装置１は、図１および図２に示すように、コンピュータ本体２に接続されており、コンピュータ本体２から出力されるビデオ信号（画像情報）などに基づいて表示面ＨＧに画像を表示する。接続のためのインタフェースとして、例えば、ＤＤＣ（Ｄｉｓｐｌａｙ　Ｄａｔａ　Ｃｈａｎｎｅｌ）規格のものが用いられる。
【００２１】
ディスプレイ装置１は、ＭＣＵ（Ｍｅｍｏｒｙ　Ｃｏｎｔｒｏｌ　Ｕｎｉｔ　）１１、ＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）１２、偏向回路１３、ＨＢＷＣ（Ｈｉｇｈ　Ｂｒｉｇｈｔ　Ｗｉｎｄｏｗ　Ｃｏｎｔｒｏｌ）回路１４、電源回路１５、ビデオ回路１６、ＣＲＴ部１７、および入出力インタフェース１８などによって構成される。
【００２２】
ＥＥＰＲＯＭ１２は、ディスプレイ装置１の仕様に関する情報および表示モード（ＶＧＡ、ＸＧＡなどの解像度）ごとのディスプレイ装置１の設定情報などを記憶している。ＭＣＵ１１は、入出力インタフェース１８を介して入力される水平同期信号ＨＳおよび垂直同期信号ＶＳに基づいて現在の表示モードを認識し、係る表示モードに対応する設定情報をＥＥＰＲＯＭ１２から取り出して、ディスプレイ装置１の設定を行う。
【００２３】
偏向回路１３は、表示面ＨＧに表示する画像のサイズ、ポジション、およびピンクッションなどに関する制御を行う。電源回路１５は、ディスプレイ装置１の各回路および装置に電源を供給する。
【００２４】
ＨＢＷＣ回路１４は、輝度指令回路１４ａおよび縦縞判別回路１４ｂなどからなり、表示する画面の領域ごとの輝度に関する設定を行う。例えば、図５（ａ）に示す画面ＳＮ１のうち、ウィンドウＷＤ１およびデスクトップＤＳ１の輝度をそれぞれ４００ｃｄ／ｍ２　、１００ｃｄ／ｍ２　のように設定する。設定の方法については、後に説明する。
【００２５】
ビデオ回路１６は、ＯＳＤ回路１６ａ、プリアンプ１６ｂ、およびパワーアンプ１６ｃなどによって構成される。ＯＳＤ回路３１ａは、ＯＳＤ（Ｏｎ−Ｓｃｒｅｅｎ　Ｄｉｓｐｌａｙ　）表示のための制御を行う。プリアンプ１６ｂは、コンピュータ本体２からのビデオ信号およびＨＢＷＣ回路１４からの指令に基づいて輝度、コントラスト、およびＲＧＢの色合いを制御し、信号の調整を行う。パワーアンプ１６ｃは、プリアンプ１６ｂによって調整された信号を適当なレベルに増幅させる。
【００２６】
ＣＲＴ部１７は、図３に示すように、電子銃１７ａ、アパーチャグリル１７ｂ、および蛍光面１７ｃなどによって構成される。電子銃１７ａは、ビデオ回路１６から出力される信号に基づいて電子ビームを放出する。これにより、図５に示すような画面（画像）が表示面ＨＧに表示される。画像が表示される仕組みは、前に図９によって説明した通りである。
【００２７】
アパーチャグリル１７ｂは、図４に示すように、２本の格子（グリル）１７ｇ１、１７ｇ２およびすだれ状に並べられた多数のワイヤ１７ｋによって構成される。ワイヤ１７ｋの両端は、それぞれ、格子１７ｇ１、１７ｇ２に取り付けられている。隣り合う２本のワイヤ１７ｋの間には、開口１７ｈが構成される。開口ピッチ（アパーチャグリルピッチ）は、０．２〜０．３ミリメートル程度である。格子１７ｇ１、１７ｇ２は、ワイヤ１７ｋを縦方向（上下方向）に引っ張っている。この張力Ｔ１によって、ワイヤ１７ｋはまっすぐにぴんと張られている。また、格子１７ｇ１、１７ｇ２の間には、ワイヤ１７ｋを整列させるための１本または数本の制御用ワイヤ（ダンパワイヤ）が水平に張られている。
【００２８】
コンピュータ本体２は、ＣＰＵ２ａ、ＲＡＭ２ｂ、ＲＯＭ２ｃ、ＶＲＡＭ２ｄ、磁気記憶装置２ｅ、ビデオカード２ｆ、およびＤＶＤ（Ｄｉｇｉｔａｌ　Ｖｅｒｓａｔｉｌｅ　Ｄｉｓｃ）ドライブ２ｇなどによって構成される。磁気記憶装置２ｅには、オペレーティングシステム（ＯＳ）、動画像を再生するアプリケーションプログラム（例えばＤＶＤ再生アプリケーション）、その他種々のプログラムがインストールされている。オペレーティングシステムには、ディスプレイ装置１を制御するためのディスプレイドライバが含まれている。
【００２９】
これらのプログラムは必要に応じてＲＡＭ２ｂに読み込まれ、ＣＰＵ２ａによって実行される。プログラムの実行またはユーザの操作によって、ディスプレイ装置１の表示面ＨＧに表示する画面が生成される。例えば、ＤＶＤ再生アプリケーションが実行されると、ＤＶＤドライブ２ｇによって読み取られるＤＶＤソフトの映像信号に基づいて映画またはアニメーションなどの１コマごとの画面が生成される。または、画面（デスクトップ）上のアイコンがダブルクリックされると、そのアイコンに対応するファイルの検索処理が実行され、ファイルの内容を示すウィンドウが開いた状態の画面が生成される。生成された画面は、ビデオカード２ｆによってビデオ信号に変換され、ディスプレイ装置１のＣＲＴ部１７に送られる。そして、図５に示す画面ＳＮ１、ＳＮ２のように、ディスプレイ装置１の表示面ＨＧに表示される。
【００３０】
ＤＶＤ再生アプリケーションは、映像を再生する処理を行う際に、映像が表示されるウィンドウＷＤ（ＷＤ１またはＷＤ２）の輝度をデスクトップＤＳ（ＤＳ１またはＤＳ２）または他のウィンドウの輝度よりも高くするようにディスプレイ装置１に対して指令する。係る指令は、ウィンドウＷＤの位置を示す位置情報とともにビデオカード２ｆによってディスプレイ装置１に送信される。例えば、図５（ａ）のウィンドウＷＤ１の位置を「（ｐｘ　，ｐｙ　），（ｑｘ　，ｑｙ　）」のように指定する。以下、このように座標で示された領域を「指定領域」と記載することがある。
【００３１】
コンピュータ本体２として、パーソナルコンピュータ、ワークステーション、ＤＶＤプレーヤ、または家庭用ゲーム機などが用いられる。
ディスプレイ装置１において、指定領域の輝度を高くする旨の指令が受け付けられると、ＨＢＷＣ回路１４の縦縞判別回路１４ｂは、デスクトップＤＳの輝度を標準の輝度Ｌ０のままにしてウィンドウＷＤ１（指定領域）の輝度だけを輝度Ｌ０から輝度Ｌ１に上げた場合に、画面の中に図１０（ｂ）に示すような縦縞が生じるか否かを判別する。係る判別には次に示す式（１）が用いられ、式（１）の条件に合う場合は縦縞が生じると判別され、合わない場合は縦縞が生じないと判別される。
【００３２】
ｙＲＡＴＥ＞ｙＤＥＮＧＥＲ　……　（１）
ただし、
ｙＤＥＮＧＥＲ＝Ｋ１×ｘＲＡＴＥ＋Ｋ２
ｘＲＡＴＥ＝（ｑｘ　−ｐｘ　）／ｘＴＯＴＡＬ：ウィンドウＷＤのｘ方向の表示率
ｙＲＡＴＥ＝（ｑｙ　−ｐｙ　）／ｙＴＯＴＡＬ：ウィンドウＷＤのｙ方向の表示率
ｘＴＯＴＡＬ：表示領域全体のｘ方向（水平方向）の長さ（全ドット数）
ｙＴＯＴＡＬ：表示領域全体のｙ方向（垂直方向）の長さ（全ドット数）
Ｋ１、Ｋ２：定数
である。
【００３３】
式（１）より、指定領域のｙ方向の表示率（ｙＲＡＴＥ）がｘ方向の表示率（ｘＲＡＴＥ）よりも大きいほど、すなわち指定領域が縦長であるほど、縦縞が生じると判別されるやすくなると言える。例えば、ウィンドウＷＤ１、ＷＤ２の輝度が同じでデスクトップＤＳ１、ＤＳ２の輝度が同じである場合は、図６に示すように、縦長のウィンドウＷＤ２を有する画面ＳＮ２は、横長のウィンドウＷＤ１を有する画面ＳＮ１よりも縦縞が生じると判別されやすいと言える。
【００３４】
指定領域が縦長であるほど縦縞が生じやすいのは、次の点からも明らかである。すなわち、電子銃１７ａから放出される電子ビームは、アパーチャグリル１７ｂのすべてのワイヤ１７ｋのうち、指定領域を表示するのに用いられるワイヤ１７ｋ（以下、「ワイヤ１７ｋ’　」と記載する。）に集中的に当たってエネルギーを与える。よって、指定領域が縦長であるほど、ワイヤ１７ｋ’　一本当たりのエネルギーの集中度が増す。集中度が増すほど、ワイヤ１７ｋ’　はより長く伸びてしまうので、縦縞が生じやすくなる。逆に、指定領域が横長であれば、ワイヤ１７ｋ’　の本数が多くなるので、ワイヤ１７ｋ’　一本当たりのエネルギーの集中度が減り、縦縞が生じにくくなる。
【００３５】
つまり、式（１）は、ワイヤ１７ｋ’　に与えられるエネルギーがアパーチャグリル１７ｂのすべてのワイヤ１７ｋに与えられるエネルギーに対して所定の度合いを超えるか否かを判別するものであると言える。
【００３６】
定数Ｋ１、Ｋ２は、ディスプレイ装置１の特性（ワイヤ１７ｋに作用している張力Ｔ１、ワイヤ１７ｋの膨張率、復元力、または太さなどの特性、アパーチャグリル１７ｂに設けられているワイヤ１７ｋの本数、または開口ピッチなど）および使用条件（指定領域の輝度、他の領域の輝度、気温、または湿度など）に基づいて決まるが、実際には、実験的に求められる。
【００３７】
例えば、定数Ｋ１は、指定領域の輝度Ｌ１と他の領域の（すなわち標準の）輝度Ｌ０との差が大きいほど、小さい値に定められる。したがって、図７（ａ）と図７（ｂ）とを比較して分かるように、指定領域の輝度を他の領域の輝度よりも高くするほど、式（１）の閾値ｙＤＥＮＧＥＲが小さくなり、縦縞が生じると判別されやすくなると言える。
【００３８】
なお、輝度Ｌ０、Ｌ１は、ＤＶＤ再生アプリケーションがＤＶＤソフトの内容に応じて自動的に指定するようにしてもよい。または、ユーザがコンピュータ本体２のキーボードまたはディスプレイ装置１の調整ボタンなどを操作して指定するようにしてもよい。定数Ｋ１、Ｋ２の値は、幾つかの輝度Ｌ０、Ｌ１の組合せごとにＥＥＰＲＯＭ１２に記憶しておけばよい。そして、指定された輝度Ｌ０、Ｌ１に応じた定数Ｋ１、Ｋ２を検索し、式（１）に代入して用いるようにすればよい。
【００３９】
画面に縦縞が生じないと判別された場合は、輝度指令回路１４ａは、ビデオ回路１６に対して、デスクトップＤＳの輝度を標準の輝度Ｌ０のままにしてウィンドウＷＤ１（指定領域）の輝度を輝度Ｌ０から輝度Ｌ１に上げるように指令する。画面に縦縞が生じると判別された場合は、指定領域の輝度が輝度Ｌ１よりも低くなるように指令する。例えば、指定領域の輝度が輝度Ｌ１と輝度Ｌ０との中間の高さになるように指令する。または、指定領域の輝度が他の領域の輝度と同じになるように指令する。輝度は、コントラストまたはブライトネスを下げることによって調整することができる。
【００４０】
そして、ビデオ回路１６は、ＨＢＷＣ回路１４からの指令に基づいて指定領域の輝度および他の領域の輝度を制御する。ＣＲＴ部１７は、ビデオ回路１６による制御に従って電子ビームを放出し、表示面ＨＧに画面（画像）を表示する。
【００４１】
次に、ディスプレイ装置１の処理の流れを、図８に示すフローチャートを参照して説明する。コンピュータ本体２において、ＤＶＤ再生アプリケーションが起動されて動画像のウィンドウが開かれる（＃１）。すると、ディスプレイ装置１は、このウィンドウの輝度を標準の輝度Ｌ０から輝度Ｌ１まで上げる旨の指令をコンピュータ本体２から受け付ける（＃２）。
【００４２】
ウィンドウ（指定領域）の輝度を輝度Ｌ１まで上げた場合に、画面の中に縦縞が生じるか否かを判別する（＃３）。縦縞が生じないと判別された場合は（＃３でＮｏ）、ウィンドウの輝度および他の領域の輝度をそれぞれ輝度Ｌ１、Ｌ０にして、画面を表示する（＃４）。縦縞が生じると判別された場合は（＃３でＹｅｓ）、ウィンドウの輝度を輝度Ｌ０、Ｌ１の間のいずれかの値に下げて画面を表示する。例えば、輝度Ｌ０、Ｌ１の中間の値に輝度を下げる。
【００４３】
コンピュータ本体２においてウィンドウのサイズ変更が行われた場合は（＃６でＹｅｓ）、縦縞が生じるか否かを判別をやり直し（＃３）、輝度の調整を再度行う（＃４、＃５）。同様に、輝度を高くするウィンドウが新たに指定された場合も、ステップ＃３〜＃５の処理を再度行う。
【００４４】
本実施形態によると、指定領域の輝度を他の領域の輝度よりも高くしても、縦縞を生じることなく画面を表示することができる。特に、２つの領域の輝度の差が大きい場合であっても縦縞が生じるか否かの判別の結果に応じて輝度を調整するので、輝度差の大きい２つの領域を含む画面を従来品よりも最適に表示することができる。
【００４５】
本実施形態では、縦縞が生じるか否かの判別をディスプレイ装置１で行ったが、コンピュータ本体２で行うようにしてもよい。例えば、縦縞判別回路１４ｂの処理を行うプログラムをコンピュータ本体２のディスプレイドライバに含ませておく。ＣＰＵ２ａは、指定領域の座標に基づいてこのプログラムを実行し、縦縞が生じるか否かを判別する。そして、縦縞が生じると判別された場合は、指定領域の輝度を下げるようにディスプレイ装置１に対して指令する。
【００４６】
ＤＶＤソフトを再生するウィンドウのほか、インターネット上のサーバからストリーミング配信される動画像を再生するウィンドウ、ＭＰＥＧファイルに基づいて動画像を再生するウィンドウ、またはビデオデッキまたはビデオカメラなどから入力される動画像を再生するウィンドウなどの輝度を他の領域よりも高くする場合も、上記の処理によって縦縞を発生させることなく画面を表示することができる。
【００４７】
縦縞が生じると判別された場合に、指定領域の輝度を下げる代わりに他の領域の輝度を上げることによって、指定領域の輝度と他の領域の輝度との差を小さくするようにしてもよい。または、指定領域の輝度および他の領域の輝度の両方を調整するようにしてもよい。
【００４８】
その他、ディスプレイ装置１またはコンピュータ本体２の構成、処理内容、処理順序などは、本発明の趣旨に沿って適宜変更することができる。
【００４９】
【発明の効果】
本発明によると、互いに輝度の異なる２つの領域を含む画面を、縦縞を生じることなく表示することができる。
【図面の簡単な説明】
【図１】本発明に係るディスプレイ装置およびコンピュータ本体の外観の例を示す図である。
【図２】ディスプレイ装置およびコンピュータ本体のハードウェア構成の例を示す図である。
【図３】ＣＲＴ部の構成の例を示す図である。
【図４】アパーチャグリルの構成の例を示す図である。
【図５】表示面に表示される画面の例を示す図である。
【図６】指定領域のｘ方向およびｙ方向の長さと縦縞の発生との関係を示す図である。
【図７】指定領域の輝度がそれぞれ異なる場合の縦縞の発生の有無を比較する図である。
【図８】ディスプレイ装置の処理の流れの例を説明するフローチャートである。
【図９】従来のＣＲＴディスプレイ装置におけるカラー画像表示の仕組みを説明する図である。
【図１０】ＣＲＴディスプレイ装置の表示面に表示された画面の例を示す図である。
【符号の説明】
１　ディスプレイ装置
１４ａ　輝度指令回路（輝度制御手段）
１４ｂ　縦縞判別回路（判別手段）
１７ｂ　アパーチャグリル
１７ｋ　ワイヤ
１８　入出力インタフェース（通信手段）
２　コンピュータ本体（画面情報出力装置）
２ａ　ＣＰＵ（指定手段、判別手段）
２ｆ　ビデオカード（指令手段）
【図１】
2004021035.tif 000003
【図２】
2004021035.tif 000004
【図３】
2004021035.tif 000005
【図４】
2004021035.tif 000006
【図５】
2004021035.tif 000007
【図６】
2004021035.tif 000008
【図７】
2004021035.tif 000009
【図８】
2004021035.tif 000010
【図９】
2004021035.tif 000011
【図１０】
2004021035.tif 000012